(57)【要約】【課題】  摩擦抵抗を減らして、駆動トルクを小さくし、適切な巻下げ力で安定した編成を可能にする編地巻下げ装置を提供する。【解決手段】  下の駆動軸１５は、横編機の基体に対して回転可能に支持され、（ａ）に示す方向１１ａ，１２ａの回転駆動力が伝達される。上の駆動軸１４に対し、転がりで回転を支持する支持ローラ２７を備えるので、上の駆動軸１４を回転させて巻下げベルト１３を周回させる際の摩擦抵抗を減らして、下の駆動軸１５への駆動トルクを小さくすることができ、適切な巻下げ力で安定した編成が可能になる。【選択図】図１
2013112922.tif 000002
【特許請求の範囲】
【請求項１】
横編機の歯口下方で、編成されて歯口から垂下する編地の両側に、巻下げユニットがそれぞれ配置され、
各巻下げユニットは、
巻下げベルトと、巻下げベルトが掛け渡される上下の駆動軸と、巻下げベルトの内側に収容される支持機構とを含み、
下の駆動軸は横編機の基体に対して回転可能に支持されるとともに、巻下げベルトを周回させる駆動力が伝達され、
支持機構は、上の駆動軸を下の駆動軸に対して揺動可能に支持し、
両側の巻下げユニットの上部で、編地を挟んで巻下げる編地巻下げ装置において、
支持機構は、上下の駆動軸の少なくとも一方に対し、転がりで回転を支持する部材を備える、
ことを特徴とする編地巻下げ装置。
【請求項２】
前記転がりで回転を支持する部材は、前記上の駆動軸または前記下の駆動軸の外周に接触して回転を支持する支持ローラである、
ことを特徴とする請求項１記載の編地巻下げ装置。
【請求項３】
前記支持ローラは、前記上の駆動軸の外周、および前記下の駆動軸の外周に接触する、
ことを特徴とする請求項２記載の編地巻下げ装置。
【請求項４】
前記転がりで回転を支持する部材は、前記上の駆動軸または前記下の駆動軸の軸端に設ける回転軸受である、
ことを特徴とする請求項１記載の編地巻下げ装置。
【請求項５】
前記転がりで回転を支持する部材は、前記上の駆動軸または前記下の駆動軸の軸端に設ける回転軸受である、
ことを特徴とする請求項２記載の編地巻下げ装置。
【請求項６】
前記支持機構は、前記上の駆動軸から下方に向う前記巻下げベルトで前記編地を挟む部分を平面に近づけるように、巻下げベルトを案内する案内部材をさらに備える、
ことを特徴とする請求項１〜５のいずれか一つに記載の編地巻下げ装置。
【発明の詳細な説明】
【技術分野】
【０００１】
本発明は、横編機の歯口下方に設けられ、編成された編地を巻下げるための編地巻下げ装置に関する。
【背景技術】
【０００２】
図６は、従来から、横編機に備えられる編地巻下げ装置の一例の構成を、簡略化して示す（たとえば、特許文献１参照）。（ａ）に示すように、横編機１の前後の針床２，３には、編針４が並設され、針床２，３間の歯口５の上方からフック４ａに供給される編糸を引込んで編目を形成することを繰り返して、編地６が編成される。編針４は、たとえば複合針であり、フック４ａはスライダーのタング４ｂによって開閉される。編針４としては、フック４ａをラッチで開閉するべら針も使用される。編地６は、一方または両方の針床２，３の編針４から歯口５に垂下する。編地巻下げ装置１０は、歯口５の下方に設けられ、垂下する編地６を両側から巻下げユニット１１，１２で挟んで巻下げる。
【０００３】
各巻下げユニット１１，１２は、巻下げベルト１３、上の駆動軸１４、下の駆動軸１５および支持フレーム１６を含む。巻下げベルト１３は、たとえばゴム製であり、上下の駆動軸１４，１５間に掛け渡され、内部に支持フレーム１６を収容する。上下の駆動軸１４，１５は、たとえば、金属製または合成樹脂製である。支持フレーム１６は、たとえば合成樹脂材料で軽量化されており、上下の駆動軸１４，１５の外周にそれぞれ摺接する。上の駆動軸１４および支持フレーム１６は、巻下げベルト１３を掛け渡している状態で、軸心１５ａまわりの揺動変位が可能なように、下の駆動軸１５によって支持される。下の駆動軸１５は、横編機１の基台によって、回転可能な状態で支持され、巻下げユニット１１，１２で異なる方向１１ａ，１２ａの回転駆動力を受ける。この回転駆動力で、巻下げユニット１１，１２の上部が接近して、周回する巻下げベルト１３で編地６を両側から挟んで巻下げる。
【０００４】
図６（ｂ）は、図示を省略しているばねによる付勢で、巻下げユニット１１，１２の上部が開いている状態を示す。下の駆動軸１５に、図６（ａ）に示す方向１１ａ，１２ａの回転駆動力を与えれば、ばね付勢に抗して、巻下げユニット１１，１２の上部を閉じることができる。
【先行技術文献】
【特許文献】
【０００５】
【特許文献１】特公昭６３−１７９４１号公報
【発明の概要】
【発明が解決しようとする課題】
【０００６】
図６に示すような編地巻下げ装置１０では、支持フレーム１６と上下の駆動軸１４，１５の外周とに巻下げベルト１３が掛け渡されて、支持フレーム１６と上下の駆動軸１４，１５の外周とが密着する。巻下げベルト１３を静止状態から周回駆動する際には、密着部分が動き出して摺接状態になるまで、支持フレーム１６と上下の駆動軸１４，１５との間に、大きな摩擦抵抗が発生する。このため、巻下げベルト１３を周回させるために、大きな駆動トルクを必要とし、適切な巻下げ力で編地６を引下げることが難しく、安定した編成が困難となる。また編地６には、負荷がかかる場合もある。
【０００７】
本発明の目的は、摩擦抵抗を減らして、駆動トルクを小さくし、適切な巻下げ力で安定した編成を可能にする編地巻下げ装置を提供することである。
【課題を解決するための手段】
【０００８】
本発明は、横編機の歯口下方で、編成されて歯口から垂下する編地の両側に、巻下げユニットがそれぞれ配置され、
各巻下げユニットは、
巻下げベルトと、巻下げベルトが掛け渡される上下の駆動軸と、巻下げベルトの内側に収容される支持機構とを含み、
下の駆動軸は横編機の基体に対して回転可能に支持されるとともに、巻下げベルトを周回させる駆動力が伝達され、
支持機構は、上の駆動軸を下の駆動軸に対して揺動可能に支持し、
両側の巻下げユニットの上部で、編地を挟んで巻下げる編地巻下げ装置において、
支持機構は、上下の駆動軸の少なくとも一方に対し、転がりで回転を支持する部材を備える、
ことを特徴とする編地巻下げ装置である。
【０００９】
また本発明で、前記転がりで回転を支持する部材は、前記上の駆動軸または前記下の駆動軸の外周に接触して回転を支持する支持ローラである、
ことを特徴とする。
【００１０】
また本発明で、前記支持ローラは、前記上の駆動軸の外周、および前記下の駆動軸の外周に接触する、
ことを特徴とする。
【００１１】
また本発明で、前記転がりで回転を支持する部材は、前記上の駆動軸または前記下の駆動軸の軸端に設ける回転軸受である、
ことを特徴とする。
【００１２】
また本発明で、前記支持機構は、前記上の駆動軸から下方に向う前記巻下げベルトで前記編地を挟む部分を平面に近づけるように、巻下げベルトを案内する案内部材をさらに備える、
ことを特徴とする。
【発明の効果】
【００１３】
本発明によれば、各支持ユニットでは、上下の駆動軸間に巻下げベルトが掛け渡され、巻下げベルトの内側に収容される支持機構で、上の駆動軸を下の駆動軸に対して揺動可能に支持する。支持機構は、上下の駆動軸の少なくとも一方に対し、転がりで回転を支持する部材を備えるので、巻下げベルトを周回させる際の摩擦抵抗を減らして、駆動トルクを小さくすることができ、適切な巻下げ力で安定した編成が可能になる。
【００１４】
また本発明によれば、上の駆動軸または下の駆動軸の外周を支持ローラで支持して、支持機構との間の摩擦抵抗を小さくすることができる。
【００１５】
また本発明によれば、上の駆動軸の外周と下の駆動軸の外周との間に共通の支持ローラを介在させて、摩擦抵抗が小さい状態で、上下の駆動軸間を支持することができる。
【００１６】
また本発明によれば、上の駆動軸または下の駆動軸を、軸線方向の端部に設ける回転軸受で、支持機構に摩擦抵抗が小さい状態で支持させることができる。
【００１７】
また、本発明によれば、巻下げベルトが編地を挟む部分の面積が大きくなり、編地を確実に引下げることができる。
【図面の簡単な説明】
【００１８】
【図１】図１は、本発明の実施例１としての編地巻下げ装置２０の概略的な構成を示す簡略化した側面断面図、および巻下げユニット２１，２２の部分的な正面図である。
【図２】図２は、本発明の実施例２としての編地巻下げ装置３０の概略的な構成を示す簡略化した側面断面図、および巻下げユニット３１，３２の部分的な正面図である。
【図３】図３は、本発明の実施例３としての編地巻下げ装置に使用する巻下げユニット４１の部分的な正面図および簡略化した側面断面図である。
【図４】図４は、本発明の実施例４としての編地巻下げ装置に使用する巻下げユニット５１の部分的な正面図および簡略化した側面断面図である。
【図５】図５は、本発明の実施例５としての編地巻下げ装置６０の概略的な構成を示す簡略化した側面断面図である。
【図６】図６は、従来から横編機１に使用される編地巻下げ装置１０の概略的な構成と動作とを示す簡略化した側面断面図である。
【発明を実施するための形態】
【００１９】
以下、図１〜図５で本発明を五つの実施例として説明する。各図の説明では、当該図面には存在せずに、図６も含めて先に説明する図には存在する符号を用いて説明したり、先に説明する図に示す部分と対応する部分には同一の参照符を付し、重複する説明を省略する場合がある。なお、図１および図２の（ａ）に示す側面断面図は、（ｂ）に示す部分的な正面図の切断面線Ａ−Ａから見た構成をそれぞれ示す。また、図３および図４の（ｂ）に示す側面断面図は、（ａ）に示す部分的な正面図の切断面線Ｂ−Ｂから見た構成をそれぞれ示す。
【実施例１】
【００２０】
図１は、本発明の実施例１としての編地巻下げ装置２０の概略的な構成を示す。（ａ）に示すように、編地巻下げ装置２０は、巻下げユニット２１，２２を有する。巻下げユニット２１，２２は、図６の巻下げユニット１１，１２と同様に上部が開閉し、上部が閉じている状態で、歯口から垂下する編地を両側から巻下げベルト１３で挟んで引下げる。上下の駆動軸１４，１５は、軸心１４ａ，１５ａが平行であり、上下の駆動軸１４，１５間には、巻下げベルト１３が掛け渡される。二点鎖線で示す巻下げベルト１３の内側には、支持機構として、支持フレーム２６および支持ローラ２７が収容される。回転を支持する部材としての支持ローラ２７は、たとえば二つ設けられ、外周が上の駆動軸１４の外周に接触しながら、支持フレーム２６に対して上の駆動軸１４を回転可能な状態で支持する。上の駆動軸１４と支持フレーム２７とは接触しない。支持ローラ２７の周囲の支持フレーム２６には空間が設けられ、支持ローラ２７の外周が支持フレーム２６に接触しない状態で、軸心２７ａまわりに回転するように、ローラ軸２８が支持フレーム２６で支持される。
【００２１】
（ｂ）では一つの支持ローラ２７を示すけれども、支持ローラ２７は、上の駆動軸１４の外周を、軸方向に間隔をあけた複数箇所で支持する。巻下げベルト１３の内周側には、波状の凹凸が幅方向に繰返して設けられ、下の駆動軸１５の外周面にも対応する凹凸が設けられて、巻下げベルト１３が幅方向にずれないようにしている。
【００２２】
下の駆動軸１５は、図示を省略している機構で、横編機の基体に対して回転可能に支持され、また、図６（ａ）に示す方向１１ａ，１２ａの回転駆動力が伝達される。支持機構は、上の駆動軸１４に対し、転がりで回転を支持する支持ローラ２７を備えるので、上の駆動軸１４を回転させて巻下げベルト１３を周回させる際の摩擦抵抗を減らして、下の駆動軸１５への駆動トルクを小さくすることができ、適切な巻下げ力で安定した編成が可能になる。
【実施例２】
【００２３】
図２は、本発明の実施例２としての編地巻下げ装置３０の概略的な構成を示す。（ａ）に示すように、編地巻下げ装置３０は、巻下げユニット３１，３２を有する。巻下げユニット３１，３２は、図１の巻下げユニット２１，２２と同様に動作する。二点鎖線で示す巻下げベルト１３の内側には、支持機構として、支持フレーム３６および回転軸受３７が収容される。（ｂ）に示すように、回転を支持する部材としての回転軸受３７は、支持フレーム３６の軸受支持部３６ａで外径側を支持され、内径側で上の駆動軸１４の端部を回転可能な状態で支持する。上の駆動軸１４の他端でも、同様な支持が行われ、（ａ）の軸受支持部３６ａは他端側を示す。
【００２４】
本実施例２では、上の駆動軸１４の外周を支持フレーム３６には接触させずに、回転軸受３７を介して支持フレーム３６で支持するので、実施例１と同様な摩擦抵抗減の効果を奏する。回転軸受３７による支持に加えて、実施例１の支持ローラ２７による回転支持を行えば、さらに摩擦抵抗を小さくすることもできる。
【実施例３】
【００２５】
図３は、本発明の実施例３としての編地巻下げ装置に使用する巻下げユニット４１の概略的な構成を示す。本実施例３でも、巻下げユニット４１は二つ用いて、編地を両側から挟んで引下げる。本実施例３の支持機構は、支持フレーム４６ａ，４６ｂと支持ローラ４７とを含む。支持フレーム４６ａ，４６ｂは、二つの部分が組合されている。支持フレーム４６ａは、図６の支持フレーム１６と同様に、上の駆動軸１４の外周に摺接して、回転を支持する。支持フレーム４６ｂは、回転を支持する部材としての支持ローラ４７のローラ軸４８を、軸心４７ａまわりの回転が可能な状態で支持する。
【００２６】
（ａ）に示すように、支持ローラ４７は、軸方向に間隔をあけて、複数が設けられ、それぞれ下の駆動軸１５の外周に接触して回転可能な状態で支持する。支持ローラ４７の周囲には空間が設けられ、支持ローラ４７の外周と支持フレーム４６ｂとは接触しない。（ｂ）に示すように、支持ローラ４７は、下の駆動軸１５の周方向にも間隔をあけて、複数、たとえば二つ設けられ、下の駆動軸１５の外周は支持フレーム４７ｂには接触しない。なお、回転を支持する部材として、下の駆動軸１５の外周に接触する支持ローラ４７ではなく、図２で上の駆動軸１４の軸端を支持するような回転軸受を用いることもできる。また、回転軸受と支持ローラ４７とを併用することもできる。
【実施例４】
【００２７】
図４は、本発明の実施例４としての編地巻下げ装置に使用する巻下げユニット５１の概略的な構成を示す。本実施例４でも、実施例３と同様に、二つの巻下げユニット５１の一方のみを示す。本実施例４の支持機構は、支持フレーム５６と支持ローラ５７とを含む。
【００２８】
（ａ）に示すように、支持ローラ５７は、上下の駆動軸１４，１５の軸方向の端部付近に設けられ、軸心５７ａまわりに回転可能なように、軸５８が支持フレーム５６で支持される。支持ローラ５７の外周は、上下の駆動軸１４，１５の外周に接触して回転可能な状態で支持する。軸方向の他方でも、同様な支持が行われる。（ｂ）に示すように、支持ローラ５７は、回転を支持する部材として、上下の駆動軸１４，１５の両方の外周に接触し、上の駆動軸１４の外周が支持フレーム５６には接触しないように支持し、下の駆動軸１５および支持ローラ５７の外周と支持フレーム５６とは接触しないので、巻下げベルト１３を駆動する際の摩擦抵抗を大幅に減少させることができる。
【００２９】
なお、実施例４のように上下の駆動軸１４，１５を回転可能に支持して摩擦抵抗を大幅に減少させることは、実施例１，２のような上の駆動軸１４の支持と実施例３のような下の駆動軸１５との支持を組合せることでも可能となる。
【実施例５】
【００３０】
図５は、本発明の実施例５としての編地巻下げ装置６０の概略的な構成を示す。本実施例５の巻下げユニット６１，６２は、図１の巻下げユニット２１，２２に、案内部材としての案内軸６３を備える構成を有する。案内軸６３は、上の駆動軸１４から下方に向う巻下げベルト１３で編地を挟む部分を平面に近づけるように、巻下げベルト１３を案内する。支持機構を構成する支持フレーム６６に対して、案内軸６３はローラ６７を介して回転可能な状態で支持される。ローラ６７は、上の駆動軸１４の回転を支持する部材である支持ローラ２７と同様の構成を有し、軸６８が支持フレーム６６に支持される。案内軸６３は、軸端に回転軸受を設けて回転可能に支持することもできる。
【００３１】
案内軸６３を設けることによって、編地を挟む部分の巻下げベルト１３は、平面状となる面当り状態で、編地に沿うように両側から接触する。他の実施例では上の駆動軸１４付近のみで接触する点当りの状態となり、巻下げベルト１３を駆動する際の摩擦抵抗を低減させると、巻下げユニットの上部で編地を挟む保持力が小さくなってしまう場合がある。本実施例５のように、巻下げベルト１３が面当りで編地を挟むようにすれば、編地への接触面積が増加し、保持力を大きくすることができる。
【００３２】
なお、巻下げベルト１３の周回経路が編地に面当りするように案内する部材としては、案内軸６３のように回転する部材ばかりではなく、接触面積が小さく、摩擦抵抗をあまり増大させなければ、巻下げベルト１３の内側に摺接して案内する部材を支持フレーム６６に付加して用いるような機構にすることもできる。
【符号の説明】
【００３３】
１３  巻下げベルト
１４  上の駆動軸
１５  下の駆動軸
２０，３０，５０  編地巻下げ装置
２１，２２，３１，３２，４１，５１，６１，６２  巻下げユニット
２６，３６，４６あ、４６ｂ、５６，６６  支持フレーム
２７，４７，５７  支持ローラ
３７  回転軸受
６３  案内軸
【図１】
2013112922.tif 000003
【図２】
2013112922.tif 000004
【図３】
2013112922.tif 000005
【図４】
2013112922.tif 000006
【図５】
2013112922.tif 000007
【図６】
2013112922.tif 000008